【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
ネットワークに接続可能な管理装置であって、
ネットワーク上に他の管理装置が存在するか否かを判断する判断手段と、
前記判断手段により他の管理装置が存在すると判断されると、当該他の管理装置によって探索されたデバイスの情報を、当該他の管理装置から取得する取得手段と、
前記ネットワーク上のデバイスを探索し、探索されたデバイスの情報を取得する探索手段と、
前記探索手段によって取得されたデバイスの情報と、前記取得手段により取得した情報とに基づいて、前記探索手段によって探索されたデバイスが前記他の管理装置によって探索されているか否かを判定する判定手段と、
前記判定手段により、前記探索手段によって探索されたデバイスが前記他の管理装置によって探索されていると判定されなかった場合、当該デバイスの情報のうち、前記探索手段によって取得していない情報を、当該デバイスから取得する第二の取得手段と、
を有することを特徴とする管理装置。
【請求項２】
前記探索手段は、探索されたデバイスから、ＩＰアドレス、ＵＵＩＤ、デバイスのシリアル番号、ＭＡＣアドレスの少なくともいずれかを含む、情報を取得することを特徴とする請求項１に記載の管理装置。
【請求項３】
前記判断手段により他の管理装置が存在すると判断された場合、前記第二の取得手段で取得した情報を、当該他の管理装置に通知する通知手段を更に有することを特徴とする請求項１又は２に記載の管理装置。
【請求項４】
前記第二の取得手段によって取得された情報に、前記デバイスのステータスを示す情報が含まれている場合、当該ステータスを示す情報を再取得する手段を更に有することを特徴とする請求項１乃至３の何れか１項に記載の管理装置。
【請求項５】
前記第二の取得手段によって情報を取得する前に、前記第二の取得手段による情報の取得の対象となるデバイスを前記他の管理装置に対して通知することにより、当該他の管理装置による当該デバイスの情報の取得を制限させる予約手段を更に有することを特徴とする請求項１乃至４のいずれか１項に記載の管理装置。
【請求項６】
前記予約手段の有効期間は、予め定められていることを特徴とする請求項５に記載の管理装置。
【請求項７】
ネットワークに接続可能な管理装置の管理方法であって、
ネットワーク上に他の管理装置が存在するか否かを判断する判断工程と、
前記判断工程で他の管理装置が存在すると判断されると、当該他の管理装置によって探索されたデバイスの情報を、当該他の管理装置から取得する取得工程と、
前記ネットワーク上のデバイスを探索し、探索されたデバイスの情報を取得する探索工程と、
前記探索工程で取得されたデバイスの情報と、前記取得工程で取得した情報とに基づいて、前記探索工程で探索されたデバイスが前記他の管理装置によって探索されているか否かを判定する判定工程と、
前記判定工程で、前記探索工程で探索されたデバイスが前記他の管理装置によって探索されていると判定されなかった場合、当該デバイスの情報のうち、前記探索工程で取得していない情報を当該デバイスから取得する第二の取得工程と、
を有することを特徴とする管理方法。
【請求項８】
前記探索工程は、探索されたデバイスから、ＩＰアドレス、ＵＵＩＤ、デバイスのシリアル番号、ＭＡＣアドレスの少なくともいずれかを含む情報を取得することを特徴とする請求項７に記載の管理方法。
【請求項９】
前記判断工程で他の管理装置が存在すると判断された場合、前記第二の取得工程で取得した情報を、当該他の管理装置に通知する通知工程を更に有することを特徴とする請求項７又は８に記載の管理方法。
【請求項１０】
前記第二の取得工程で取得された情報に、前記デバイスのステータスを示す情報が含まれている場合、当該ステータスを示す情報を再取得する工程を更に有することを特徴とする請求項７乃至９の何れか１項に記載の管理方法。
【請求項１１】
前記第二の取得工程で情報を取得する前に、前記第二の取得工程での情報の取得の対象となるデバイスを前記他の管理装置に対して通知することにより、当該他の管理装置による当該デバイスの情報の取得を制限させる予約工程を更に有することを特徴とする請求項７乃至１０のいずれか１項に記載の管理方法。
【請求項１２】
前記予約工程の有効期間は、予め定められていることを特徴とする請求項１１に記載の管理方法。
【請求項１３】
ネットワーク上のデバイスを探索する管理方法をコンピュータに実行させるために、該コンピュータを、
ネットワーク上に他の管理装置が存在するか否かを判断する判断手段と、
前記判断手段により他の管理装置が存在すると判断されると、当該他の管理装置によって探索されたデバイスの情報を、当該他の管理装置から取得する取得手段と、
前記ネットワーク上のデバイスを探索し、探索されたデバイスの情報を取得する探索手段と、
前記探索手段によって取得されたデバイスの情報と、前記取得手段により取得した情報とに基づいて、前記探索手段によって探索されたデバイスが前記他の管理装置によって探索されているか否かを判定する判定手段と、
前記判定手段により、前記探索手段によって探索されたデバイスが前記他の管理装置によって探索されていると判定されなかった場合、当該デバイスの情報のうち、前記探索手段によって取得していない情報を、当該デバイスから取得する第二の取得手段と、
を有する管理装置として機能させることを特徴とするプログラム。
【手続補正２】
【補正対象書類名】明細書
【補正対象項目名】００２３
【補正方法】変更
【補正の内容】
【００２３】
上記目的を達成するために本発明の一態様に係る分散管理装置は以下のような構成を備える。即ち、
ネットワークに接続可能な管理装置であって、
ネットワーク上に他の管理装置が存在するか否かを判断する判断手段と、
前記判断手段により他の管理装置が存在すると判断されると、当該他の管理装置によって探索されたデバイスの情報を、当該他の管理装置から取得する取得手段と、
前記ネットワーク上のデバイスを探索し、探索されたデバイスの情報を取得する探索手段と、
前記探索手段によって取得されたデバイスの情報と、前記取得手段により取得した情報とに基づいて、前記探索手段によって探索されたデバイスが前記他の管理装置によって探索されているか否かを判定する判定手段と、
前記判定手段により、前記探索手段によって探索されたデバイスが前記他の管理装置によって探索されていると判定されなかった場合、当該デバイスの情報のうち、前記探索手段によって取得していない情報を、当該デバイスから取得する第二の取得手段と、
を有することを特徴とする。
【手続補正３】
【補正対象書類名】明細書
【補正対象項目名】００２４
【補正方法】変更
【補正の内容】
【００２４】
上記目的を達成するために本発明の一態様に係る管理方法は以下のような構成を備える。即ち、
ネットワークに接続可能な管理装置の管理方法であって、
ネットワーク上に他の管理装置が存在するか否かを判断する判断工程と、
前記判断工程で他の管理装置が存在すると判断されると、当該他の管理装置によって探索されたデバイスの情報を、当該他の管理装置から取得する取得工程と、
前記ネットワーク上のデバイスを探索し、探索されたデバイスの情報を取得する探索工程と、
前記探索工程で取得されたデバイスの情報と、前記取得工程で取得した情報とに基づいて、前記探索工程で探索されたデバイスが前記他の管理装置によって探索されているか否かを判定する判定工程と、
前記判定工程で、前記探索工程で探索されたデバイスが前記他の管理装置によって探索されていると判定されなかった場合、当該デバイスの情報のうち、前記探索工程で取得していない情報を当該デバイスから取得する第二の取得工程と、
を有することを特徴とする。